(57)【要約】      （修正有）【課題】組立工程においてコアを簡単に仮止めすることができるコイル部品及びボビンを提供する。【解決手段】コイル部品１ａは、互いに直交する三方向をそれぞれ上下方向、前後方向、左右方向として、ボビン４に巻回された巻線によって上下方向を巻軸１００方向としたコイルが形成されているとともに、当該コイルがボビンに装着されたコア２によって形成された磁路内に配置されてなる。コアは、中脚２２を備えた二つのコア部材２１ａ、２１ｂが上下方向で対向配置されてなる。ボビンは、中脚が挿通される中空部４５を備えた中空筒状の巻軸部４９と、上下両端にて前後方向で対面する壁部４３、４４とを備える。前後方向で対面する壁部の少なくとも一方には、当該対面する側の面にコアの上端面及び下端面を係止する爪４７が形成されている。【選択図】図２
2020047653.tif 000002
【特許請求の範囲】
【請求項１】
互いに直交する三方向をそれぞれ上下方向、前後方向、左右方向として、
ボビンに巻回された巻線によって上下方向を巻軸方向としたコイルが形成されているとともに、当該コイルが前記ボビンに装着されたコアによって形成された磁路内に配置されてなるコイル部品であって、
前記コアは、中脚を備えた二つのコア部材が上下方向で対向配置されてなり、
前記ボビンは、前記中脚が挿通される中空部を備えた中空筒状の巻軸部と、上下両端にて前後方向で対面する壁部とを備え、
前記前後方向で対面する前記壁部の少なくとも一方には、当該対面する側の面に前記コアの上端面、及び下端面を係止する爪が形成されている、
ことを特徴とするコイル部品。
【請求項２】
互いに直交する三方向をそれぞれ上下方向、前後方向、左右方向として、中脚を備えた二つのコア部材が対向配置されてなるコアによって形成された磁路内に上下方向を巻軸としたコイルが配置されてなるコイル部品が備えるボビンであって、
外周に前記コイルの巻線が巻回されるとともに、前記コア部材の前記中脚が挿通される中空部が形成された巻軸部と、上下両端にて前後方向で対面する壁部とを備え、
前記前後方向で対面する前記壁部の少なくとも一方には、当該対面する側の面に前記コアの上端面、及び下端面を係止する爪が形成されている、
ことを特徴とするボビン。
【発明の詳細な説明】
【技術分野】
【０００１】
本発明は、分割可能なコアを備えるコイル部品、及びボビンに関する。
【背景技術】
【０００２】
コイル部品には、Ｎ巻きの多層巻きコイルを備えたものがある。図１Ａ、及び図１Ｂに、多層巻きコイルを備えた従来のコイル部品１０１の一例を示した。図１Ａは、コイル部品１０１の外観を示す斜視図であり、図１Ｂは、コイル部品１０１を部品ごとに分解したときの斜視図である。コイル部品１０１は、図１Ａに示したように、コア２によって形成された磁路内に、多層巻きコイル３が、絶縁性樹脂の一体成型品であるボビン１０４を介して配置されてなる。なお、図１Ｂにおいては、説明を簡単にするために、コイル３を省略してコイル部品１０１を図示している。
【０００３】
ここで、三次元直交座標系における三つの座標軸方向を、それぞれ上下方向、前後方向、左右方向とし、コイル３の巻軸１００方向を上下方向として各方向を規定することとすると、ここに示したコイル部品１０１は、図１Ａに示したように、二つのコア部材（２１ａ、２１ｂ）が上下方向で対向配置させてなるコア２によって形成された閉磁路内に多層巻きコイル３が配置されてなる。コイル３を構成する導線はボビン１０４に巻回され、二つのコア部材（２１ａ、２１ｂ）が、当該ボビン１０４を上下方向から狭持している。ボビン１０４の下面には、下方に向けて突出する複数の実装用のリード端子４６が設けられている。また、二つのコア部材（２１ａ、２１ｂ）は、互いが分離しないように、例えば、外周に沿って一周以上巻回されたテープ２４によって固定されている。
【０００４】
図１Ｂに示したように、ボビン１０４は、リード端子４６が植設されている基部４８の上方に、導線が巻回される中空筒状の巻軸部４９が一体的に形成されてなる。コア２は、円柱状の中脚２２を備えた二つのＥ型のコア部材（２１ａ、２１ｂ）を上下方向で対向配置させてなるＥＥＲ型である。そして、二つのコア部材（２１ａ、２１ｂ）の中脚２２は、巻軸部４９の中空部４５に挿通される。
【０００５】
巻軸部４９の上端にはフランジ４１が形成されている。ここで、コア部材（２１ａ、２１ｂ）は、中脚２２の左右に外脚が形成されていることとして左右方向を規定すると、フランジ４１の上面には、前後方向を法線方向とした平板状の二つの壁部（以下、上壁部４３とも言う）が、中空部４５の開口に対して前後対称に形成されている。そして、上方のコア部材２１ａの中脚２２を中空部４５に挿通すると、当該コア部材２１ａが二つの壁部４３によって前後方向から狭持される。それによって、コア部材２１ａの中脚２２を中心とした回転が規制される。
【０００６】
また、ボビン１０４の基部４８の下端面は、下方のコア部材２１ｂの外形に沿う溝状に形成され、中空部４５に対して前後方向で溝の壁面４４が対面している。下方のコア部材２１ｂの中脚２２を巻軸部４９の中空部４５に挿通すると、当該下方のコア部材２１ｂが、基部４８の下端側に形成された溝の壁面（以下、下壁部４４とも言う）によって前後方向から狭持され、上方のコア部材２１ａと同様に中脚２２周りの回転が規制される。なお、組み立てられた状態にあるコイル部品１０１では、二つのコア部材（２１ａ、２１ｂ）は、ボビン１０４に接着されている。また、上述したように、外脚にテープ２４が貼り付けられて、二つのコア部材（２１ａ、２１ｂ）が分離しないように補強されている。
【０００７】
なお、以下の特許文献１には、分割可能なコア２を有するコイル部品や、コイル部品１０１の材料や製造方法などについて記載されている。また、以下の非特許文献１には、市販されているコイル部品の外形や寸法などが記載されている。
【先行技術文献】
【特許文献】
【０００８】
【特許文献１】特開２０１７−１９５２９３号公報
【非特許文献】
【０００９】
【非特許文献１】ＦＤＫ株式会社、”トランス”、[online]、[平成３０年８月２８日検索]、インターネット＜ＵＲＬ：http://www.fdk.co.jp/cyber-j/coil/transformer.html＞
【発明の概要】
【発明が解決しようとする課題】
【００１０】
図１Ａ、図１Ｂに示した従来のコイル部品１０１では、二つのコア部材（２１ａ、２１ｂ）とボビン１０４、あるいは二つのコア部材（２１ａ、２１ｂ）の外脚同士を接着している。そして、コイル部品１０１を組み立てる作業者は、接着剤がある程度硬化するまで、組み付けられた二つのコア部材（２１ａ、２１ｂ）同士を手で保持し続ける必要がある。さらに、作業者は、コア部材（２１ａ、２１ｂ）をボビン１０４に組み付ける際、コア２やボビン１０４に接着剤を塗布したのち、コイル部品１０１の姿勢を傾斜させ、接着剤を、流動させながら接着箇所に満遍なく行きわたらせる作業を行う場合もある。また、各部材同士にはクリアランスがあるため、コア２をボビン１０４に組み付けた後、ボビン１０４とコア２とが対象に配置されるように、位置合わせをする必要もある。このように、従来のコイル部品１０１では、コア２とボビン１０４とを組み付ける際に、コア２を保持する仮止め作業と平行して、繁雑な各種作業を行う必要があった。そして、このような繁雑な作業は、コイル部品１０１の歩留まりを低下させて、製造コストの低減を妨げる要因となっていた。
【００１１】
そこで本発明は、組立工程においてコアを簡単に仮止めすることができるコイル部品、及びボビンを提供することを目的としている。
【課題を解決するための手段】
【００１２】
上記目的を達成するための本発明の一態様は、互いに直交する三方向をそれぞれ上下方向、前後方向、左右方向として、
ボビンに巻回された巻線によって上下方向を巻軸方向としたコイルが形成されているとともに、当該コイルが前記ボビンに装着されたコアによって形成された磁路内に配置されてなるコイル部品であって、
前記コアは、中脚を備えた二つのコア部材が上下方向で対向配置されてなり、
前記ボビンは、前記中脚が挿通される中空部を備えた中空筒状の巻軸部と、上下両端にて前後方向で対面する壁部とを備え、
前記前後方向で対面する前記壁部の少なくとも一方には、当該対面する側の面に前記コアの上端面、及び下端面を係止する爪が形成されている、
ことを特徴とするコイル部品としている。
【００１３】
本発明のその他の態様は、互いに直交する三方向をそれぞれ上下方向、前後方向、左右方向として、中脚を備えた二つのコア部材が対向配置されてなるコアによって形成された磁路内に上下方向を巻軸としたコイルが配置されてなるコイル部品が備えるボビンであって、
外周に前記コイルの巻線が巻回されるとともに、前記コア部材の前記中脚が挿通される中空部が形成された巻軸部と、上下両端にて前後方向で対面する壁部とを備え、
前記前後方向で対面する前記壁部の少なくとも一方には、当該対面する側の面に前記コアの上端面、及び下端面を係止する爪が形成されている、
ことを特徴とするボビンとしている。
【発明の効果】
【００１４】
本発明によれば、組立工程においてコアを簡単に仮止めすることができるコイル部品、及びボビンが提供される。
【図面の簡単な説明】
【００１５】
【図１Ａ】従来のコイル部品の外観を示す図である。
【図１Ｂ】上記従来のコイル部品の分解斜視図である。
【図２】本発明の実施例に係るコイル部品の分解斜視図である。
【図３】本発明の他の実施例に係るコイル部品の分解斜視図である。
【発明を実施するための形態】
【００１６】
以下、本発明の一実施形態について、添付図面を参照しつつ説明する。なお、以下の説明に用いた図面においては、同一又は類似の部分に同一の符号を付すことによって、重複する説明を省略することがある。また、図面によっては、説明の際に不要な符号を省略することがある。
【００１７】
＝＝＝実施例＝＝＝
上述したように、図１Ａ、図１Ｂに示したような、従来のコイル部品１０１では、組み立て工程において、二つのコア部材（２１ａ、２１ｂ）同士を手で保持することによって仮止めしながら、他の繁雑な作業を同時に行う必要があった。そこで、本発明の実施例に係るコイル部品では、手作業による仮止めの工程を不要にするための構造を備えている。
【００１８】
図２に、本発明の実施例に係るコイル部品１ａを示した。なお、図２では、コイル部品１ａを上方から見たときの分解斜視図を、コイル３を省略した状態で示している。図２に示したように、実施例に係るコイル部品１ａの基本構成は、図１Ａ、図１Ｂに示した従来の一般的なコイル部品１０１と同様である。すなわち、コイル部品１ａは、ＥＥＲ型のコア２と端子４６を備えたボビン４とを備えている。そして、ボビン４は、基部４８と巻軸部４９とを一体的に備えるとともに、フランジ４１と基部４８のそれぞれに、コア部材（２１ａ、２１ｂ）を支持する上壁４３と下壁４４とが形成されている。
【００１９】
ここで、本発明の実施例に係るコイル部品１ａでは、ボビンの上壁４３及び下壁４４に、コア２を仮止めするための爪４７が形成されている。概略的には、前後二つの上壁４３において、互いに対面する側の面（以下、内面とも言う）の上縁と、左右二つの下壁４４の内面の下縁とに、二つの爪４７が左右に離れて形成されている。
【００２０】
また、上壁４３の爪４７の下面と、下壁４４の爪４７の上面は、上下方向を法線とした面（以下、水平面とも言う）である。また、上壁４３の爪４７の上面、及び下壁４４の爪４７の下面は、前後内方に向かって下方、及び上方に向かって傾斜するテーパー面である。そのため、例えば、上側のコア部材２１ａをボビン４に対して上方から下方に向けて組み付けていくと、爪４７が設けられている上壁４３が外方に撓みつつコア部材２１ａが二つの上壁４３の間の空間（以下、コア組付領域とも言う）に案内される。そして、コア部材２１ａの上面が爪４７の下面まで達すると、撓み状態にあった上壁４３が復元して、コア部材２１ａの上面が爪４７によって係止される。下側のコア部材２１ｂを下方から上方に向けて組み付ける場合も同様にして、下壁４４に設けられている爪４７によって、コア部材２１ｂが係止される。その結果、ボビン４に対して上下から組み付けられた二つのコア部材（２１ａ、２１ｂ）は、対向配置された状態で保持される。すなわち、コア２は、手で保持しなくてもボビン４に仮止めされた状態で維持される。したがって、コイル部品１の組み立て工程において、仮止めと同時に行われるコイル部品１ａの姿勢を傾斜させて接着剤を流動させる作業や、コア２とボビン４との位置合わせ作業が容易になる。
【００２１】
＝＝＝その他の実施例＝＝＝
上述した実施例についての説明は、本発明の理解を容易にするためのものであり、本発明の技術的範囲を何ら限定するものではない。本発明は、上記実施例の趣旨を逸脱することなく、変更、改良され得るとともに、本発明にはその等価物が含まれる。
【００２２】
上記実施例におけるコイル部品１ａは、リード端子４６の突出する方向がコイル３の巻軸１００の方向に対して平行な、いわゆる縦型のコイル部品１ａであったが、本発明の実施例に係るコイル部品は、リード端子４６の突出する方向がコイルの巻軸１００の方向に対して垂直な、いわゆる横型のコイル部品であってもよい。そこで、他の実施例に係るコイル部品として、横型のコイル部品を挙げる。図３に、他の実施例に係るコイル部品１ｂの一例を示した。図３は、コイル部品１ｂを部品ごとに分解したときの斜視図であり、図３においても、コイルを省略してコイル部品１ｂを図示している。
【００２３】
ここでも、互いに直交する三方向をそれぞれ上下方向、前後方向、左右方向とする。そして、コイル３ｂの巻軸１００方向を上下方向として各方向を規定するとともに、ボビン４ｂは、基部４８ｂの前方に巻軸部４９ｂが形成されていることとして前後の各方向を規定することとすると、他の実施例に係るコイル部品１ｂでは、図３に示したように、ボビン４ｂの上下両端側の後面から、複数の実装用のリード端子４６が後方に向けて突出している。コア２ｂの中脚２２が挿通される中空部４５が、巻軸部４９ｂの上下両端側に開口している。なお、ここに示したコイル部品１ｂのコア２ｂは、断面が長円状の中脚２２を備えた二つのコア部材２１が上下方向で対向配置されてなる。
【００２４】
巻軸部４９ｂの上下両端にはフランジ４１ｂが形成されている。なお、フランジ４１ｂの後端側は基部４８と一体化している。巻軸部４９ｂのフランジ４１ｂの前端側には、前後方向を法線方向とした平板状の壁部４３ｂが、上下外方向に突出して形成されている。また、基部４８ｂの上下両端側は、フランジ４１ｂに対して上下外方向に突出し、その基部４８ｂにおける前端面がコア２ｂの後端面を支持する壁部となる。すなわち、ボビン４ｂの上下両端におけるフランジ４１ｂに形成された壁部４３ｂと基部４８ｂの前面との間にコア部材２１が配置される。
【００２５】
そして、基部４８ｂにおいて、フランジ４１より上方及び後方に突出して壁部として機能する領域の前面の上縁辺及び後縁辺には、それぞれ、前方に突出する二つの爪４７ｂが左右に離れて形成されている。そして、他の実施例に係るコイル部品１ｂでは、基部４８ｂの前面と、壁部４３ｂの後面との間にコア２が配置されつつ、コア２の上下両端面の後端側が爪４７ｂに係止される。それによって、コア２の上下方向への移動が規制される。すなわち、図３に示した横型のコイル部品１ｂにおいても、コア２をボビン４ｂに仮止めすることができる。
【００２６】
上記実施例に係るコイル部品１において、ボビン４に形成されている爪４７はコア２の脱落を防ぐことができれば、その数、配置、大きさ、及び形状は適宜に設定することができる。例えば、ボビン４の左右の上壁４３の内側の側面の上部領域と、左右の下壁４４の内側の側面の下部領域との左右方向の中央に、それぞれ幅広の爪が形成されていてもよい。
【００２７】
上記実施例に係るコイル部品１は、ＥＥＲ型のコア２を備えているとして説明したが、コイル部品１は分割可能なコアを備えていればよく、本発明の実施例に係るコアは、例えばＮ巻き分のコイルがボビンの巻軸部を介して一方の脚に巻回されるＵＵ型であってもよい。
【符号の説明】
【００２８】
１，１ａ，１ｂ，１０１  コイル部品、２，２ｂ  コア、３，３ｂ  コイル、４，４ｂ，１０４  ボビン、２１，２１ａ，２１ｂ  コア部材、２２  中脚、２４  テープ、４１，４１ｂ  フランジ、４３  上壁、４３ｂ  壁部、
４４  下壁、４５  中空部、４６  リード端子、４７，４７ｂ  爪、４８，４８ｂ  基部、４９，４９ｂ  巻軸部、１００  巻軸
【図１Ａ】
2020047653.tif 000003
【図１Ｂ】
2020047653.tif 000004
【図２】
2020047653.tif 000005
【図３】
2020047653.tif 000006